(57)【要約】【課題】既存のハンガーに容易に着脱可能であり、汎用性及び収納性に優れ、洗濯物の乾燥を促進できる、ハンガー用補助具を提供する。【解決手段】筒状部２０と、筒状部２０の底部と接着した四枚の板状部材３０と、を有するハンガー用補助具１であって、板状部材３０は互いに離間しており、隣接する板状部材３０の間の間隙３１の２本の中心線が互いに直交し、中心線が互いに直交する２本の間隙３１のうち、一方の間隙の長さは、他方の間隙３１の長さよりも長く、筒状部２０は、筒状部２０の側面と間隙が交差する部分に、間隙３１と連通する四つの切込み部２１を有し、筒状部２０が略錐台形状であり、筒状部２０の、底部平面の面積が上部平面の面積よりも大きい、ハンガー用補助具１を提供する。【選択図】図１
2019051233.tif 000002
【特許請求の範囲】
【請求項１】
筒状部と、前記筒状部の底部と接着した四枚の板状部材と、を有するハンガー用補助具であって、
前記板状部材は互いに離間しており、隣接する板状部材の間の間隙の２本の中心線が互いに直交し、中心線が互いに直交する２本の間隙のうち、一方の間隙の長さは、他方の間隙の長さよりも長く、
前記筒状部は、前記筒状部の側面と前記間隙が交差する部分に、前記間隙と連通する四つの切込み部を有し、
前記筒状部が略錐台形状であり、筒状部の、底部平面の面積が上部平面の面積よりも大きい、ハンガー用補助具。
【請求項２】
長手方向の寸法が、２３０ｍｍ以上３１０ｍｍ以下であり、短手方向の寸法が、１００ｍｍ以上１６０ｍｍ以下である、請求項１に記載のハンガー用補助具。
【請求項３】
前記板状部材は、少なくとも一つの貫孔を有する、請求項１又は２に記載のハンガー用補助具。
【請求項４】
前記切込み部の上部が逆Ｖ字状である、請求項１から３のいずれかに記載のハンガー用補助具。
【発明の詳細な説明】
【技術分野】
【０００１】
既存のハンガーに容易に着脱可能であり、汎用性及び収納性に優れ、洗濯物の乾燥を促進できる、ハンガー用補助具に関する。
【背景技術】
【０００２】
従来、衣服等の洗濯物を乾燥させるために、針金や合成樹脂を素材としたハンガーが用いられている。これらのハンガーは一般的に厚みが小さいため、洗濯物を乾かす際に、ハンガーを挟んで対向する洗濯物の生地が接触又は密着しやすく、その結果、洗濯物の内部への風通しが悪くなり、洗濯物の乾きが遅くなることがあった。特に、雨天時の室内干しや厚手の洗濯物を乾かす場合には、より乾きが遅くなるという問題があった。そこで、洗濯物の風通しを良くして早く乾かすためのハンガー及びハンガーに着脱可能なハンガー用補助具について、検討がなされている。
【０００３】
このような観点で検討されたハンガーとして、例えば特許文献１には、吊下げ用フックと、該フックの下方に配置した支持部材とを有する衣服用ハンガーであって、支持部材から、水平方向に回転自在に軸支した枠体を垂下したことを特徴とする衣服用ハンガーが開示されている。
【０００４】
また、特許文献２には、ハンガーに掛けた洗濯物の内部に配置可能なハンガー用補助具において、１本の針金からなる１対の長辺部と１対の短辺部を有する長方形枠を、１対の長辺部の中間部で鋭角的に折り曲げることで、１対の中間部を鋭角状の屈曲部として繋がった１対の逆門形枠を形成し、ハンガーの１対の傾斜部材の１対の下端部を繋ぐ水平部材に上記１対の屈曲部を引っ掛けた使用状態では、ハンガーに掛けられた洗濯物の内部空間を１対の逆門形枠でもって拡大可能に構成したことを特徴とするハンガー用補助具が開示されている。
【０００５】
また、同様に、ハンガー用補助具として、特許文献３には、上端にフックを有する掛止部と、この掛止部の下端に連続して斜状に構成された二つの肩掛け部材と、この肩掛け部材の両端の間に設けられた水平部材とを備えたハンガーに使用されるハンガー用補助具であって、上記水平部材の嵌入を許容する嵌入部と、この嵌入部に連続され、該嵌入部に上記水平部材を嵌入するとき、該水平部材に対して直交方向に配置される直交アームと、この直交アームの両端近傍から延出する略平行な洗濯物当接部とを備えたことを特徴とするハンガー用補助具が開示されている。
【先行技術文献】
【特許文献】
【０００６】
【特許文献１】特開２００７−１４４１０２号公報
【特許文献２】登録実用新案第３１５５１０９号公報
【特許文献３】特開２０１２−１８３２２２号公報
【発明の概要】
【発明が解決しようとする課題】
【０００７】
ここで、例えば、特許文献１に記載のハンガーを用いることにより、一般的に用いられる針金や合成樹脂を素材とした厚みの小さいハンガーを用いる場合と比較して、洗濯物は乾きやすくなるが、ハンガーそのものについて検討されたものであるため、既存のハンガーを使用することができず、別途新たなハンガーを用意しなければならないという問題があった。
【０００８】
また、特許文献２に記載のハンガー用補助具では、ハンガー用補助具とハンガーを紐で固定する必要があり、使用者にとってハンガー用補助具を使用するための手間がかかるという問題があった。
【０００９】
また、特許文献３に記載のハンガー用補助具では、ハンガーの底部に位置する水平部材に、ハンガー用補助具の嵌入部を嵌入するという点で、従来のハンガー用補助具と比較して着脱性についての改良はなされているものの、当該ハンガー用補助具が対応できる衣服のサイズは、直交アームの長さで決まり、衣服のサイズによっては、当該ハンガー用補助具を使用できない場合があり、また、服のサイズに合わせて複数種のサイズのハンガー用補助具を用意しなければならない場合があり、汎用性に劣るという問題があった。また、当該ハンガー用補助具は積み重ねられる形状ではないため、保管する際に紛失する場合もあり、紛失しないようにハンガー用補助具を収納するための箱や袋を用意しなければならず、収納性に劣るという問題があった。
【００１０】
したがって、本発明は以上の点の課題に鑑みてなされたものであり、既存のハンガーに容易に着脱可能であり、汎用性及び収納性に優れ、洗濯物の乾燥を促進できる、ハンガー用補助具を提供することを目的とする。
【課題を解決するための手段】
【００１１】
本発明の発明者は、上記課題に鑑み、鋭意研究を行った。その結果、筒状部と、筒状部の底部と接着した四枚の板状部材と、を有するハンガー用補助具について、板状部材を
互いに離間して配置させ、さらに、隣接する板状部材の間の間隙の２本の中心線が互いに直交し、中心線が互いに直交する２本の間隙のうち、一方の間隙の長さは、他方の間隙の長さよりも長くなるように配置し、筒状部に所定の切込み部を設け、筒状部を所定の略錐台形状とすることにより、上記課題を解決できることを見出し、本発明を完成するに至った。具体的には、本発明は以下のものを提供する。
【００１２】
（１）本発明の第１の態様は、筒状部と、前記筒状部の底部と接着した四枚の板状部材と、を有するハンガー用補助具であって、前記板状部材は互いに離間しており、隣接する板状部材の間の間隙の２本の中心線が互いに直交し、中心線が互いに直交する２本の間隙のうち、一方の間隙の長さは、他方の間隙の長さよりも長く、前記筒状部は、前記筒状部の側面と前記間隙が交差する部分に、前記間隙と連通する四つの切込み部を有し、前記筒状部が略錐台形状であり、筒状部の、底部平面の面積が上部平面の面積よりも大きい、ハンガー用補助具である。
【００１３】
（２）本発明の第２の態様は、（１）に記載のハンガー用補助具であって、長手方向の寸法が、２３０ｍｍ以上３１０ｍｍ以下であり、短手方向の寸法が、１００ｍｍ以上１６０ｍｍ以下であることを特徴とするものである。
【００１４】
（３）本発明の第３の態様は、（１）又は（２）に記載のハンガー用補助具であって、前記板状部材は、少なくとも一つの貫孔を有することを特徴とするものである。
【００１５】
（４）本発明の第４の態様は、（１）から（３）のいずれかに記載のハンガー用補助具であって、前記切込み部の上部が逆Ｖ字状であることを特徴とするものである。
【発明の効果】
【００１６】
本発明のハンガー用補助具は、筒状部と、筒状部の底部と接着した四枚の板状部材と、を有し、板状部材は互いに離間しており、隣接する板状部材の間の間隙の２本の中心線が互いに直交し、中心線が互いに直交する２本の間隙のうち、一方の間隙の長さは、他方の間隙の長さよりも長く、筒状部は、筒状部の側面と間隙が交差する部分に、間隙と連通する四つの切込み部を有しているため、ハンガーに容易に着脱可能であり、汎用性に優れ、洗濯物の乾燥を促進できる。また、筒状部が略錐台形状であり、筒状部の、底部平面の面積が上部平面の面積よりも大きいため、当該ハンガー用補助具を、筒状部を介して積み重ねることができるため、収納性に優れる。
【図面の簡単な説明】
【００１７】
【図１】本発明のハンガー用補助具の斜視図である。
【図２】本発明のハンガー用補助具の平面図である。
【図３】本発明のハンガー用補助具の使用例を示す図面である。
【図４】本発明のハンガー用補助具の使用例を示す図面である。
【発明を実施するための形態】
【００１８】
以下、添付図面を参照して、本発明を実施するための形態について、詳細に説明する。なお、本発明の実施形態の説明の全体を通して、同じ要素には同じ符号を付している。
【００１９】
＜ハンガー用補助具＞
図１は、本発明のハンガー用補助具１の斜視図であり、図２は、本発明のハンガー用補助具１の平面図である。図１及び図２に示すように、本発明のハンガー用補助具１は、筒状部２０と、筒状部２０の底部と接着した四枚の板状部材３０と、を有し、板状部材３０は互いに離間しており、隣接する板状部材３０の間の間隙３１の２本の中心線が互いに直交し、筒状部２０は、筒状部２０の側面と間隙３１が交差する部分に、間隙３１と連通する四つの切込み部２１を有する、構造となっている。よって、図３に示すように、ハンガー１００の水平部材１０１を、間隙３１を通過させ、切込み部２１の上端を水平部材１０１に引っ掛けて、本発明のハンガー用補助具１をハンガー１００に容易に取り付けることができる。したがって間隙３１の幅及び切込み部２１の幅には、ハンガー１００の水平部材１０１を通過させるための寸法が必要であり、針金から構成されるハンガー１００や木材から構成されるハンガー１００等のそれぞれ外径の異なる水平部材１０１を通過できるように、間隙３１の幅及び切込み部２１の幅は１０ｍｍ以上２０ｍｍ以下であることが好ましい。本発明のハンガー用補助具１を用いることができるハンガー１００は特に限定されず、水平部材１０１を有するプラスチック、針金、木材等から構成される公知のハンガー１００を用いることができ、本発明のハンガー用補助具１の使用に際し、新たなハンガー１００を用意することなく、これまで使用してきた既存のハンガー１００を用いることができる。
【００２０】
本発明のハンガー用補助具１は、板状部材３０が互いに離間しており、隣接する板状部材３０の間の間隙３１の２本の中心線が互いに直交し、中心線が互いに直交する２本の間隙３１のうち、一方の間隙３１の長さは、他方の間隙３１の長さよりも長い構造となっているため、ハンガー用補助具１には、短手方向、長手方向という二つの方向が存在し、図中では、長手方向をＸ、短手方向をＹとしている。また、筒状部２０は、筒状部２０の側面と間隙３１が交差する部分に、間隙３１と連通する四つの切込み部２１を有する。ここで、本発明のハンガー用補助具１を用いて洗濯物２００を乾かす際には、ハンガー用補助具１の短手方向又は長手方向の両端部を洗濯物２００の内側に接触させて用いることにより、洗濯物２００の内部に空間を設けることができ、洗濯物２００の乾燥を促進することができる。なお、図４では、ハンガー用補助具１の短手方向の両端部を洗濯物２００である衣服の胸部及び背部の内側に接触させ、洗濯物２００の内部に空間を設けた態様を示している。
【００２１】
このように、本発明のハンガー用補助具１の長手方向及び短手方向の寸法はそれぞれ異なるため、洗濯物２００を乾かす際に、長手方向及び短手方向の両端部のどちらを洗濯物２００の内側に接触させるかどうかを、洗濯物２００のサイズに応じて適宜選択することができるため、本発明のハンガー用補助具１は、汎用性に優れる。
【００２２】
ここで、ハンガー用補助具１の長手方向の寸法と短手方向の寸法の差が小さすぎる場合には、一つのハンガー用補助具１では異なるサイズの洗濯物２００に対応できず、汎用性が低下し、また、ハンガー用補助具１の長手方向の寸法と短手方向の寸法の差が大きく、かつ、長手方向の寸法が大きすぎる場合には、長手方向の両端部を洗濯物２００の内側に接触させた場合に洗濯物２００が突っ張ることで伸びてしまい、実際に使用する場合に、短手方向の両端部を洗濯物２００の内側に接触させることしかできず、汎用性が低下することになる。そのため、本発明のハンガー用補助具１の汎用性をより高めるために、ハンガー用補助具１の長手方向の寸法は、２３０ｍｍ以上３１０ｍｍ以下、短手方向の寸法は、１００ｍｍ以上１６０ｍｍ以下であることが好ましい。ハンガー用補助具１の長手方向及び短手方向の寸法を上記の範囲に調整することにより、洗濯物２００の大きさに合わせて、長手方向及び短手方向の両端部のどちらを洗濯物２００の内側に接触させるかを選択することができ、また、洗濯物２００の襟幅に合わせて上記のいずれかを選択することで襟が伸びることなく用いることができる。また、本発明のハンガー用補助具１をより汎用的に使用できるようにするために、ハンガー用補助具１の長手方向の寸法は、２４０ｍｍ以上３００ｍｍ以下、短手方向の寸法は、１２０ｍｍ以上１５０ｍｍ以下であることが好ましい。
【００２３】
本発明のハンガー用補助具１において、図１に示すように筒状部２０の底部が四枚の板状部材３０と接着している。このように、ハンガー１００の水平部材１０１を取り付ける筒状部２０よりも下方に四枚の板状部材３０が位置することにより、重心が安定するため、取り付けて洗濯物２００を乾かす際にも傾きを防ぎ、安定させることができる。また、ハンガー用補助具１の平面形状は、特に限定されないが、効果的にバランスを維持し安定させるために、短手方向及び長手方向のそれぞれの両端部が、二つの間隙３１の各中心線を中心としてそれぞれ対称となる長方形、楕円形とすることが好ましく、筒状部２０が、図１及び図２に示すように、略中心に位置することが好ましい。
【００２４】
［筒状部］
本発明のハンガー用補助具１において、筒状部２０は、内部が空洞になっているので、洗濯物２００の風通しを向上させ、洗濯物２００の乾燥を促進させることができる。筒状部２０の材質としては、プラスチック、木材、金属等を用いることができるが、軽量で低コストなプラスチックであることが好ましく、強度に優れるプラスチック類であることがより好ましい。プラスチック素材としては、ＡＢＳ、ポリカーボネート、アクリル、ポリ塩化ビニル、ポリプロピレン、ポリエチレンテレフタレート、高密度ポリエチレン等が挙げられるが、耐久性及びコストの観点からＡＢＳ及びポリカーボネートを用いることが好ましい。
【００２５】
また、筒状部２０の形状は、略錐台形状であり、筒状部２０の、底部平面の面積が上部平面の面積よりも大きい。そのため、ハンガー用補助具１を、筒状部２０を介して高さ方向に積み重ねができるため、本発明のハンガー用補助具１は、収納性に優れる。略錐台形状としては、四角錐台形状等の多角錐台形状や円錐台形状を用いることができるが、洗濯物２００を取り付ける際に衣類を傷つけないように角のない円錐台形状であることが好ましい。
【００２６】
筒状部２０の底部は、後述する四枚の板状部材３０と接着している。筒状部２０と板状部材３０との接着には、接着剤、ネジ、ビス等を用いることができる。この場合、接着剤による接着性を向上させるため、また、ネジやビス等を施すために、筒状部２０の底部は、図１に示すように、後述する切込み部２１を有する部分を除いて、平板状に延在していることが好ましい。筒状部２０と板状部材３０の接着の形態は、上記のように必ずしも接着剤、ネジ、ビス等によるものである必要はなく、あらかじめ、ハンガー用補助具１が一体化して形成されることにより、筒状部２０と板状部材３０とが接着されていてもよい。
【００２７】
また、筒状部２０は、筒状部２０の側面と間隙３１が交差する部分に、間隙３１と連通する四つの切込み部２１を有し、切込み部２１の上端を水平部材１０１に引っ掛けて、本発明のハンガー用補助具１をハンガー１００に取り付けることができる。ここで、針金から構成されるハンガー１００の水平部材１０１の外径は、プラスチックや木材から構成されるハンガー１００の水平部材１０１の外径よりも小さいことが通常であるため、切込み部２１の上部の形状は、逆Ｖ字状であることが好ましい。切込み部２１の形状を逆Ｖ字状にすることにより、針金から構成されるハンガー１００であっても、切込み部２１の上部先端にハンガー１００の水平部材１０１が隙間なく適合することができ、ハンガー１００の種類を問わず、取り付け後の傾きを軽減させることができる。
【００２８】
なお、筒状部２０の高さは、ハンガー用補助具１のハンガー１００への取り付けに際し、ハンガー１００のフック部の付根部から水平部材１０１までの垂直法の距離よりも小さいことが必要であり、扱いやすさ及び収納性の観点から、筒状部２０の高さは５０ｍｍ以上１００ｍｍ以下であることが好ましい。また、扱いやすさ及び収納性の観点から、長手方向の寸法が短手方向の寸法よりも大きいことを条件として、筒状部２０の長手方向の寸法は、４０ｍｍ以上７０ｍｍ以下であることが好ましく、短手方向の寸法は３０ｍｍ以上６０ｍｍ以下であることが好ましい。
【００２９】
［板状部材］
板状部材３０の形状は特に限定されず、略楕円形、略長方形等の形状を用いることができる。ここで、バランスを維持させ安定させるために、四枚の板状部材３０のそれぞれの形状及び大きさは図１及び図２に示すように略同一であることが好ましく、それぞれの板状部材３０の長手方向の寸法は、１１０ｍｍ以上１４５ｍｍ以下であることが好ましく、短手方向の寸法は、４５ｍｍ以上７０ｍｍ以下であることが好ましい。また、板状部材３０の形状が略長方形である場合、洗濯物２００を傷つけないように、四隅は丸みを帯びていることが好ましい。板状部材３０の材質としては、プラスチック、木材、金属等、特に限定されないが、軽量で低コストなプラスチックであることが好ましく、強度に優れるプラスチック類であることがより好ましい。プラスチック素材としては、ＡＢＳ、ポリカーボネート、アクリル、ポリ塩化ビニル、ポリプロピレン、ポリエチレンテレフタレート、高密度ポリエチレン等が挙げられるが、耐久性及びコストの観点からＡＢＳ及びポリカーボネートを用いることが好ましい。
【００３０】
また、板状部材３０は、少なくとも一つの貫孔３２を有することが好ましい。板状部材３０が貫孔３２を有することにより、洗濯物２００の内部への風通しが向上し、洗濯物２００を早く乾かすことができる。ここで板状部材３０の一枚あたりの貫孔３２が占める割合は２０％以上８０％以下であることが好ましく、より効果的に洗濯物２００を乾かす観点から、４０％以上８０％以下であることがより好ましく、６０％以上８０％以下であることが更に好ましい。
【００３１】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３２】
１        ハンガー用補助具
２０      筒状部
２１      切込み部
３０      板状部材
３１      間隙
３２      貫孔
１００    ハンガー
１０１    水平部材
２００    洗濯物
【図１】
2019051233.tif 000003
【図２】
2019051233.tif 000004
【図３】
2019051233.tif 000005
【図４】
2019051233.tif 000006